(57)【要約】【課題】メモリ内の複数画像を連続的にネットワーク送信可能とする。【解決手段】被写体を撮像して得られた複数の画像を記録するメモリと、ネットワーク上の送信先へデータを送信する通信部を有する撮像装置の制御において、ステップＳ３０１〜Ｓ３０６のネットワーク転送設定では、通信部がネットワークに接続されているか否かにかかわらず、メモリに記録された複数の画像の各々について送信するか否かが設定される。そして、ステップＳ３０７〜Ｓ３１１のネットワーク転送制御では、ネットワーク転送設定で送信すると設定された画像が通信部を介して連続的に送信される。【選択図】  図３
2006086653.tif 000002
【特許請求の範囲】
【請求項１】
被写体を撮像して得られた複数の画像をメモリに記録する撮像装置であって、
ネットワーク上の送信先へデータを送信する送信手段と、
前記送信手段がネットワークに接続されているか否かにかかわらず、前記メモリに記録された前記複数の画像の各々について送信するか否かを設定する設定手段と、
前記設定手段で送信すると設定された画像を前記送信手段を介して連続的に送信する制御手段とを備えることを特徴とする撮像装置。
【請求項２】
前記設定手段は、送信すると設定された画像を特定する識別情報をリストに登録し、
前記制御手段は、前記リストに登録された画像を前記送信手段を介して連続的に送信することを特徴とする請求項１に記載の撮像装置。
【請求項３】
前記設定手段で送信すると設定された画像の属性を、前記制御手段により該画像を送信するまでに、書込み禁止に設定する属性設定手段を更に備えることを特徴とする請求項１に記載の撮像装置。
【請求項４】
前記属性設定手段は、更に、前記制御手段による送信を完了した画像の属性を、書き込み許可に設定することを特徴とする請求項３に記載の撮像装置。
【請求項５】
前記制御手段によって画像を送信している間は、画像の消去指示を無効にする消去禁止手段を更に供えることを特徴とする請求項１乃至４のいずれかに記載の撮像装置。
【請求項６】
前記制御手段によって送信中の画像に対する消去指示を無効にする消去禁止手段を更に備えることを特徴とする特徴とする請求項１乃至４のいずれかに記載の撮像装置。
【請求項７】
前記消去禁止手段によって無効にされた消去指示を保持し、前記制御手段による画像送信の終了後に保持された消去指示を実行する手段を更に備えることを特徴とする請求項５に記載の撮像装置。
【請求項８】
被写体を撮像して得られた複数の画像をメモリに記録し、ネットワーク上の送信先へデータを送信する送信手段を有する撮像装置における画像転送方法であって、
前記送信手段がネットワークに接続されているか否かにかかわらず、前記メモリに記録された前記複数の画像の各々について送信するか否かを設定する設定工程と、
前記設定工程で送信すると設定された画像を前記送信工程を介して連続的に送信する制御工程とを備えることを特徴とする画像転送方法。
【請求項９】
前記設定工程は、送信すると設定された画像を特定する識別情報をリストに登録し、
前記制御工程は、前記リストに登録された画像を前記送信手段を介して連続的に送信することを特徴とする請求項８に記載の画像転送方法。
【請求項１０】
前記設定工程で送信すると設定された画像の属性を、前記制御工程により該画像を送信するまでに、書込み禁止に設定する属性設定工程を更に備えることを特徴とする請求項８に記載の画像転送方法。
【請求項１１】
前記属性設定工程は、更に、前記制御工程による送信を完了した画像の属性を、書き込み許可に設定することを特徴とする請求項１０に記載の画像転送方法。
【請求項１２】
前記制御工程によって画像を送信している間は、画像の消去指示を無効にする消去禁止工程を更に供えることを特徴とする請求項８乃至１１のいずれかに記載の画像転送方法。
【請求項１３】
前記制御工程によって送信中の画像に対する消去指示を無効にする消去禁止工程を更に備えることを特徴とする特徴とする請求項８乃至１１のいずれかに記載の画像転送方法。
【請求項１４】
前記消去禁止工程によって無効にされた消去指示を保持し、前記制御工程による画像送信の終了後に保持された消去指示を実行する工程を更に備えることを特徴とする請求項１２に記載の画像転送方法。
【発明の詳細な説明】
【技術分野】
【０００１】
本発明は、静止画像や動画像を撮像、記録、出力可能な撮像装置に関し、特に撮像して得られた画像データを送信する機能を有する撮像装置に関するものである。
【背景技術】
【０００２】
最近のデジタルカメラは、撮影されたデジタル画像をメモリカード等の記憶媒体に保存する機能だけでなく、撮影されたデジタル画像をＩＥＥＥ１３９４シリアルバス、ＵＳＢ（Universal Serial Bus）等に準拠したネットワークインターフェースを介して他の装置に転送する機能を有する。例えば、特許文献１には、撮影されたデジタル画像を無線ＬＡＮカードを介してファイルサーバに転送するデジタルカメラが提案されている。
【特許文献１】特開２００３−２８３９００号公報
【発明の開示】
【発明が解決しようとする課題】
【０００３】
一般にデジタルカメラには複数の画像が記録される。しかしながら、記録媒体に保存された画像をネットワークを利用して送信するデジタルカメラは、記録媒体内に格納された複数の画像を連続して送信するものは存在しない。このため、ユーザは転送する画像を１枚指定してはこれをネットワーク送信するという煩雑な操作を強いられていた。
【０００４】
本発明は上記の課題に鑑みてなされたものであり、メモリ内の複数画像を連続的にネットワーク送信可能とすることを目的とする。
【課題を解決するための手段】
【０００５】
上記の目的を達成するための本発明による撮像装置は、
被写体を撮像して得られた複数の画像をメモリに記録する撮像装置であって、
ネットワーク上の送信先へデータを送信する送信手段と、
前記送信手段がネットワークに接続されているか否かにかかわらず、前記メモリに記録された前記複数の画像の各々について送信するか否かを設定する設定手段と、
前記設定手段で送信すると設定された画像を前記送信手段を介して連続的に送信する制御手段とを備える。
【０００６】
また、上記の目的を達成するための本発明による画像転送方法は、
被写体を撮像して得られた複数の画像をメモリに記録し、ネットワーク上の送信先へデータを送信する送信手段を有する撮像装置における画像転送方法であって、
前記送信手段がネットワークに接続されているか否かにかかわらず、前記メモリに記録された前記複数の画像の各々について送信するか否かを設定する設定工程と、
前記設定工程で送信すると設定された画像を前記送信工程を介して連続的に送信する制御工程とを備える。
【発明の効果】
【０００７】
以上説明したように、本発明によれば、メモリ内の複数画像を連続的にネットワーク送信することが可能となる。
【発明を実施するための最良の形態】
【０００８】
以下、添付の図面を参照して本発明の好適な実施形態を説明する。
【０００９】
＜撮像装置の構成＞
図１は、実施形態による撮像装置の構成例を示すブロック図である。図１に示されるように、本実施形態の撮像装置１は、装置本体１００、電源ユニット１０１、外部メモリ２００，２１０、レンズユニット３００から構成される、所謂デジタルカメラ或いはデジタルビデオカメラである。また、以下の実施形態において、撮像対象して得られ、送信の対象となる画像は静止画像でも動画像（映像）でもよい。
【００１０】
図１において、３１０は撮影レンズ、３１１は絞り、１２１はミラー、１２はシャッター、１４は光学像を電気信号に変換する、ＣＣＤやＣＭＯＳセンサ等の撮像素子、１６は撮像素子１４のアナログ信号出力をディジタル信号に変換するＡ／Ｄ変換器である。タイミング発生回路１８は、メモリ制御回路２２及びシステム制御回路５０により制御され、撮像素子１４、Ａ／Ｄ変換器１６、Ｄ／Ａ変換器２６にクロック信号や制御信号を供給する。
【００１１】
画像処理回路２０は、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が測光回路４０、測距回路４２、フラッシュ４８、絞り制御回路３１２、測距制御回路３１３に対して制御を行い、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１２】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは、画像処理回路２０及びメモリ制御回路２２を介して、或いは直接メモリ制御回路２２を介して、画像表示メモリ２４或いはメモリ３０に書き込まれる。
【００１３】
画像表示メモリ２４に書き込まれた表示用の画像データは、Ｄ／Ａ変換器２６を介してＬＣＤや有機ＥＬディスプレイ等の画像表示部２８により表示される。撮像素子で撮像した画像データを画像表示部２８で逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には装置本体１００の電力消費を大幅に低減することができる。
【００１４】
メモリ３０は撮影した静止画像や動画像を格納する記憶装置であり、所定枚数の静止画像や所定時間の動画像を格納するのに十分な記憶容量を備えている。そのため、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１５】
圧縮・伸長回路３２は、メモリ３０に格納された画像を読み込んで、適応離散コサイン変換（ＡＤＣＴ）、ウェーブレット変換等を用いた周知のデータ圧縮処理或いは伸長処理を行い、処理を終えたデータをメモリ３０に書き込む。
【００１６】
測光回路４０による測光結果に基づいて、絞り制御回路３１２は絞り３１１を制御し、シャッター制御回路４４は撮像素子１４への露光量を制御するためのシャッター１２を制御する。また、システム制御回路５０は測光回路４０の測光結果に基づいてフラッシュ４８によるフラッシュ調光機能を実現する。
【００１７】
測距制御回路３１３は撮影レンズ３１０のフォーカシングを制御し、ズーム制御回路３１４は撮影レンズ３１０のズーミングを制御する。フラッシュ４８は撮影時の補助光源として機能し、調光機能も有する。また、ＡＦ補助光の投光機能も有する。測光回路４０、測距回路４２はＴＴＬ方式を用いて制御されており、撮像した画像データを画像処理回路２０によって演算した演算結果に基づき、システム制御回路５０が絞り制御部３１２、測距制御部３１３に対して制御を行う。
【００１８】
システム制御回路５０は例えばＣＰＵであり、メモリ５２に記憶されたプログラムを実行することにより装置本体１００の全体を制御する。メモリ５２はシステム制御回路５０の動作用の定数、変数、プログラム等を記憶する。
【００１９】
表示部５４は例えばＬＣＤやＬＥＤ、スピーカ等の出力装置の組み合わせにより構成され、システム制御回路５０でのプログラムの実行に応じて、文字、画像、音声等を用いて動作状態やメッセージ等を出力する。表示部５４は装置本体１００の操作部６８近辺の視認し易い位置に、単数或いは複数設置される。また、表示部５４の一部は光学ファインダ１０４内に設置されている。表示部５４の表示内容としては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、外部メモリ２００及び２１０の着脱状態表示、通信Ｉ／Ｆ動作表示、日付け・時刻表示、外部コンピュータとの接続状態を示す表示、合焦表示、撮影準備完了表示、手振れ警告表示、フラッシュ充電表示、外部メモリ書き込み動作表示、等がある。この一部は光学ファインダ１０４内に表示される。
【００２０】
不揮発性メモリ５６は電気的に消去・記録可能なメモリであり、例えばＥＥＰＲＯＭ等が用いられる。
【００２１】
シャッタースイッチ６２及び６４及び操作部６８は、システム制御回路５０に各種の動作指示を入力するための操作手段を構成し、ボタン、スイッチ、ダイアル、タッチパネル、視線検知によるポインティング、音声認識装置等の単数或いは複数の組み合わせで構成される。シャッタースイッチＳＷ１（６２）は、装置本体１００に設けられたシャッターボタン（図示せず）の操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２２】
シャッタースイッチＳＷ２（６４）は、不図示のシャッターボタンの操作完了（全押し）でＯＮとなり、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、外部メモリ２００或いは２１０に画像データを書き込む記録処理という一連の処理の動作開始を指示する。
【００２３】
操作部６８は各種ボタンやタッチパネル等からなり、メニューボタン、セットボタン、マクロボタン、マルチ画面再生改ページボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、圧縮モードスイッチ等を具備する。なお、図１では「再生画像移動＋（プラス）ボタン、再生画像−（マイナス）ボタン」を選択スイッチ７２として示してある。＋ボタンと−ボタンの各機能は回転ダイアルスイッチを備えることによってより軽快な操作性を提供することができる。また、転送設定スイッチ７６は、ネットワーク転送設定（後述）の操作において、選択スイッチ７２により選択された画像を転送するか否かを設定するためのスイッチである。転送設定スイッチ７６により転送すると決定した場合は、決定した画像番号をメモリ５２或いは記録媒体２１０等に保存する。ファイル属性変更スイッチ７８は、画像ファイルの書き込み属性を「書込み禁止」或いは「書き込み可」に変更するためのスイッチである。
【００２４】
８４はネットワーク接続状態検出部であり、画像撮影／再生装置がネットワークに接続されていて、画像転送が可能か否かを判断する。８２は画像転送判断部であり、ネットワーク機器により画像が転送中であるか否かを判断する。ネットワーク接続状態検出部８４、画像転送判断部８２はシステム制御回路５０のＣＰＵによりソフトウエアによって実現されてもよい。
【００２５】
電源制御部８０は、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、各部へ供給する。
【００２６】
電源８６はアルカリ電池やリチウム電池等の一次電池やＮｉＣｄ電池やＮｉＭＨ電池、Ｌｉ電池等の二次電池、或いはＡＣアダプタ等からなり、コネクタ８２及び８４によって装置本体１００に取り付けられる。
【００２７】
メモリカードやハードディスク等の外部メモリ２００及び２１０は、半導体メモリや磁気ディスク等から構成される記録部２０２、２１２と、画像処理装置１００とのインタフェース２０４、２１４及びコネクタ２０６、２１６を有している。外部メモリ２００及び２１０は、媒体側のコネクタ２０６、２１６と装置本体１００側のコネクタ９２、９６とを介して装置本体１００に装着される。コネクタ９２、９６にはインタフェース９０及び９４が接続される。
【００２８】
なお、本実施形態では装置本体１００が外部メモリを取り付けるインターフェース及びコネクタを２系統持つものとして説明しているが、外部メモリを取り付けるインターフェース及びコネクタは、単数を含む任意の数備えることができる。また、系統毎に異なる規格のインターフェース及びコネクタを用いても良い。インターフェース及びコネクタとしては、例えばＰＣＭＣＩＡカードやＣＦ（コンパクトフラッシュ（登録商標））カード等の規格に準拠したものを用いることができる。
【００２９】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００３０】
光学ファインダ１０４は例えばＴＴＬファインダであり、プリズムやミラー（１２１,１２２）を用いてレンズ３１０を通じた光束を結像する。光学ファインダ１０４を用いることで、画像表示部２８による電子ファインダ機能を使用すること無しに撮影を行うことが可能である。また、上述したように、光学ファインダ１０４内には、表示部５４の一部の機能、例えば、合焦表示、手振れ警告表示、フラッシュ充電表示、シャッタースピード表示、絞り値表示、露出補正表示などの情報表示がなされる。
【００３１】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）１１２は、通信部１１０を介して画像処理装置１００を他の機器と接続する。
【００３２】
上記構成例では、レンズユニット３００が交換可能な交換レンズタイプの画像撮影／再生装置を示したが、交換レンズタイプでなくともよい。
【００３３】
＜ネットワーク通信の概要＞
図２は、図１で説明した撮像装置１がネットワーク接続機器２と接続された状態を示した図である。撮像装置１は図１に示したコネクタ１１２を用いてネットワーク接続器機２と接続し、通信部１１０の制御によりネットワークを介した通信を行う。撮像装置１はネットワーク接続機器２を通して撮影画像／音声ファイル／動画ファイル等を転送する。ネットワーク接続機器２は無線によるネットワークへの接続機能、有線によるネットワークへの接続機能のどちらか一方または両方を兼ねそろえたものである。なお、本実施形態ではネットワーク接続機器２を外部アクセサリーとしているが、ネットワーク接続機能を撮像装置内に内蔵してもよい。
【００３４】
＜ネットワーク通信による画像の連続転送＞
次に図３のフローチャートを参照して、メモリ３０或いは外部メモリ２００（２１０）に記録されている画像をネットワークを介して転送する際のシステム制御回路５０の処理を説明する。
【００３５】
まず、転送設定をする画像を液晶表示部で確認しながら選択可能なように、画像表示モードに移行する（ステップＳ３０１）。システム制御回路５０は、メモリ３０または外部メモリ２００（２１０）に記録されている画像を取得し、画像表示部２８に取得した画像を表示する。このとき、撮像装置がネットワークに接続されている必要はない。
【００３６】
次に、ユーザは操作部６８の選択スイッチ７２を操作して、画像表示部２８に表示する画像を切換え、転送すべき所望の画像を画像表示部２８に表示させる。こうして転送設定を行うべき画像を表示した状態で、転送設定スイッチ７６を操作することにより、画像の選択及び選択された画像に対する転送の設定が行われる（ステップＳ３０３、Ｓ３０４）。転送設定スイッチ７６によって転送設定する旨の指示が入力された場合は、ステップＳ３０４からステップＳ３０５へ進み、ステップＳ３０３によって表示されている画像に対して「転送する」を設定する。具体的には、ステップＳ３０３によって表示されている画像の識別番号をシステム制御回路５０の内部メモリ或いはメモリ５２または外部記憶媒体２００（２１０）に確保した転送画像リストに記憶する。転送設定スイッチにより「転送しない」が選択された場合は、当該画像識別番号を転送画像リストから削除する(ステップＳ３０６)。
【００３７】
ネットワーク転送開始の指示もしくは他の処理の指示がなされるまで上記のステップＳ３０２〜Ｓ３０６の処理（ネットワーク転送設定と称する）が繰り返される。他の処理の指示がなされれば本処理を終了する（不図示）が、ネットワーク転送開始の指示がなされた場合は、ステップＳ３０７以降のネットワーク転送処理を実行する。
【００３８】
まず、ネットワーク接続検出部８４により、画像が転送可能状態か否かを判定する（ステップＳ３０７）。なお、画像が転送可能な状態か否かの判断には、画像の転送先が設定されていることも含まれる。ネットワークに接続されていなければそのまま本処理を終了する（ネットワークに接続されていない旨を画像表示部２８に表示してもよい）。ネットワークに接続されていると判断された場合は、転送画像リストを参照して転送設定されている画像が存在するかを判定する（ステップＳ３０８）。転送設定された画像が存在しない場合はそのまま本処理を終了する（転送する画像がない旨を画像表示部２８に表示してもよい）。
【００３９】
転送すべき画像が存在した場合は、ステップＳ３０９へ進み、転送開始可能である旨をユーザに示し、転送開始の指示を待つ。このとき、画像表示部２８に転送する画像の枚数等を提示するようにしてもよい。ユーザにより転送開始が指示されたなら、システム制御回路５０は画像の転送を開始し、ステップＳ３０３〜Ｓ３０６の処理により転送設定された画像を全て送信する処理を行なう（ステップＳ３１０、Ｓ３１１）。すなわち、転送画像リストに記録されている画像識別番号により画像を１枚ずつネットワーク上の送信先へ送信する。
【００４０】
以上、本実施形態では、ステップＳ３０１〜Ｓ３０６の処理（ネットワーク転送設定）とステップＳ３０７〜Ｓ３１１（ネットワーク転送処理）を一連の流れとして説明したが、ステップＳ３０１〜Ｓ３０６の処理とステップＳ３０７〜Ｓ３１１の処理は各々独立して行なっても構わない。例えば、ネットワーク未接続状態でステップＳ３０１〜Ｓ３０６の処理を行い、ネットワークに接続した際にステップＳ３０７〜Ｓ３１１の処理を行なうことが可能である。
【００４１】
＜ネットワーク通信対象の画像の誤消去防止＞
ネットワーク接続機器により画像を転送する際等において、転送開始前の画像ファイルの属性を書込み禁止とすることにより、転送元である撮像装置内の記録媒体に記録された画像ファイルの誤消去を防止する。特に、画像の転送をすべく設定された画像をその転送前に誤って消去してしまうようなご操作を防止する。また、一般にデジタルカメラに装着する記録媒体は、パソコンのように大容量のものは存在しない。現在、徐々に容量は増えつつあるが、撮像素子の画素数の増加によりデジタル画像自体の容量も増加しているため、記録媒体に記録できる画像の枚数は限られている。従って効率的に画像の消去が行えることが要望されている。そこで、転送終了後に画像ファイルの属性を書き込み可にすることにより、メモリ上の画像の消去を迅速に行えるようにする。
【００４２】
図４は、転送設定をした画像ファイルの属性を書き込み禁止にする際のシステム制御回路５０の処理を示した図である。ステップＳ４０１〜Ｓ４０６は図３で説明したステップＳ３０１〜Ｓ３０６に各々該当する。図４の処理では、ステップＳ４０２の判断で転送設定を終了する際に、ファイル属性変更部７８により、転送設定をした全画像ファイルの属性を書込み禁止にする（ステップＳ４０７）。すなわち、転送画像リストに記録されている画像識別番号に対応する画像ファイルの属性を書込み禁止に設定（プロテクト状態に設定）する。
【００４３】
なお、図４では、転送設定をした全画像に一度に書き込み禁止処理を施す例を説明しているが、ステップＳ４０５で選択画像に転送設定をした直後に当該画像の属性を書込み禁止とするようにしてもよい。この場合の処理を図５に示す。すなわち、ステップＳ４０７’において、ステップＳ４０５で転送設定された画像ファイルの属性を書込み禁止にする。
【００４４】
次に、画像ファイルの属性を書き込み可に設定する処理を説明する。図６は、転送終了をした画像ファイルの属性を書き込み可にする（プロテクト解除）際のシステム制御回路５０の処理を示したフローチャートである。
【００４５】
ステップＳ６０７〜Ｓ６１１は図３で説明したステップＳ３０７〜Ｓ３１１に各々該当する。ステップＳ６１１において、転送設定された画像が全て送信完了であると判断された場合は、ファイル属性変更部７８により、転送設定された画像ファイルの属性を書き込み可にする処理を行なう（ステップＳ６１２）。すなわち、転送画像リストに記録されている画像識別番号に対応する画像ファイルの属性を書込み可に設定する。
【００４６】
この処理により、送信前に書込み禁止（プロテクト）に設定された（図４のフローチャートの処理による）画像の属性を再び書き込み許可（プロテクト解除）に設定することができる。
【００４７】
なお、図６では、転送を完了した全画像に一度に書き込み可の処理を施す例を説明しているが、ステップＳ６１０で画像転送が１枚終了した時点で１枚づつファイル属性を書き込み可にする処理を行なっても構わない。この場合の処理を図７に示す。すなわち、ステップＳ６１２’において、ステップＳ６１０で転送された画像ファイルの属性を書込み禁止にする。
【００４８】
＜画像データの消去処理について＞
上述したように、デジタルカメラにおいて記録媒体に記録できる画像の枚数は限られている。従って効率的に画像の消去が行えることが必要であるが、転送中に誤って画像を消去するようなことは避けなければならない。このような要望を実現するために、以下では、図８のフローチャートを参照して、画像ファイルを転送中に当該画像ファイルを消去することを禁止する方法を説明する。
【００４９】
先ず、画像表示モードに移行する（ステップＳ７０１）。次に、選択スイッチ７２を操作するこにより選択された画像を画像表示部２８に表示する（ステップＳ７０２）。消去が指示されたならば、ステップＳ７０３からステップＳ７０４へ進み、当該撮像装置１が画像を転送中であるか否かを画像転送判断部８２により判断する。画像転送中であったなら画像表示部２８に警告を表示し（ステップＳ７０６）本処理を終了し、当該画像の消去は行なわない。画像転送中でなければ、ステップＳ７０２により現在画像表示部２８に表示している画像に対応する画像ファイルを消去し（ステップＳ７０５）、本処理を終了する。
【００５０】
なお、ステップＳ７０４での画像転送中か否かの判断は、消去対象として選択された画像が転送中か否かという判断でもよいし、図３で示したネットワーク画像転送において転送設定された複数画像について連続して転送中か否かという判断でも構わない。
【００５１】
＜ネットワーク通信対象の画像の誤消去防止処理の変形例＞
図４、図５により画像の誤消去を防止するために転送対象の画像ファイルの属性を書込み禁止にする処理を説明した。ここでは、図９のフローチャートでを参照して、転送設定をした画像ファイルの属性を書込み禁止にする手順に関する変形例を説明する。図４、図５で説明した処理では、ネットワーク転送設定時に画像ファイルの属性を変更したが、本変形例では、ネットワーク転送処理時に属性を書込み禁止にする。
【００５２】
ステップＳ５０７〜Ｓ５１１は図３で説明したＳ３０７〜Ｓ３１１に各々該当する。ステップＳ５０９でユーザにより転送開始が指示されると、その直後に、ファイル属性変更部７８により、転送設定されている全ての画像ファイル（転送画像リストに記録されている全ての画像識別番号に対応する画像ファイル）に対してファイル属性を書込み禁止にする（ステップＳ５１２）。なお、図９では、全画像に対してまとめて書込み禁止にする例を説明しているが、ステップＳ５１０で画像を１枚転送する直前に当該画像ファイルの書込みを禁止するようにしてもよい。この場合の処理を図１０に示す。すなわち、ステップＳ５１２’により次のステップＳ５１０で転送される画像ファイルの属性を書込み禁止に設定する。なお、図９、図１０にはプロテクトの解除を示していないが、図６、図７で説明したようなプロテクト解除処理を適用できることは明らかであろう。
【００５３】
＜画像データの消去処理に関する変形例＞
図８を参照して画像データの消去処理を説明したが、以下、その変形例を説明する。本変形例では、転送中になされた消去操作を覚えておき、転送終了後に消去が指示されている画像ファイルを消去する。図１１はこのような変形例による、画像データの消去処理を説明するフローチャートである。
【００５４】
まず、画像表示モードに移行する（ステップＳ８０１）。次に、選択スイッチ７２を操作するこにより選択された画像を画像表示部２８に表示する（ステップＳ８０２）。消去が指示されたならば、ステップＳ８０３からステップＳ８０４へ進み、画像転送判断部８２により画像を転送中か否かを判断する。画像転送中であったならば、当該画像を消去予約する（ステップＳ８０６）。画像転送中でなければ指定された画像を消去する（Ｓ８０５）。なお、ステップＳ８０４での画像転送中か否かの判断は、消去対象の画像が転送中か否かという判断でも構わないし、画像転送設定した一連の画像についてネットワーク転送処理による転送の実行中か否かという判断でも構わない。
【００５５】
そして、画像転送が終了すると、ステップＳ８０７からステップＳ８０８へ処理が進み、ステップＳ８０６で消去予約された画像が存在するか否かを判断する。そして、消去予約された画像が存在すれば、それらの画像を消去する（ステップＳ８０９）。なお、図１１では、Ｓ８０８の判断は転送設定された複数画像の連続転送が終了してから行なっているが、画像転送が１枚終了した時点で判断しても構わない。
【００５６】
なお、上記実施形態では転送画像リストに転送すべき画像の識別番号を登録するようにしたが、各画像データの属性として転送設定を持たせるようにしてもよいことは当業者には明らかであろう。
【００５７】
以上説明したように、上記実施形態の撮像装置によれば、ネットワーク接続状態に関わらず、予め転送する画像を決定しておくことができ、ネットワーク接続時には簡単な操作で当該決定した画像を連続して送信することが可能となる。
【００５８】
また、転送開始前の画像ファイルの属性を書込み禁止とすることができるので、ネットワーク接続機器により画像を転送する際に、転送元である撮像装置内の記録媒体に記録された画像ファイルの誤消去を防ぐことが可能である。また、画像データの転送中は画像の消去が禁止されるので、誤消去を防ぐことが可能である。また、画像ファイルの属性を変更せずに転送をすることが可能である。
【００５９】
また、転送完了した画像ファイルの属性を書き込み可とするので、ネットワーク接続機器により画像を転送する際に書き込みが禁止された画像ファイルについて撮像装置での画像削除が直ちに可能となる。このため、記録媒体の容量を即座に空けることができ、次の撮影に素早く移行することが可能である。
【図面の簡単な説明】
【００６０】
【図１】実施形態による撮像装置の構成例を示すブロック図である。
【図２】実施形態によるネットワーク接続機器と撮像装置との接続を示した図である。
【図３】実施形態によるネットワーク転送設定及びネットワーク転送処理を説明するフローチャートである。
【図４】ネットワーク転送設定において画像ファイルの属性を書込み禁止に設定する処理を説明するフローチャートである。
【図５】ネットワーク転送設定において画像ファイルの属性を書込み禁止に設定する処理を説明するフローチャートである。
【図６】ネットワーク転送処理において画像ファイルの属性を書き込み可に設定する処理を説明するフローチャートである。
【図７】ネットワーク転送処理において画像ファイルの属性を書き込み可に設定する処理を説明するフローチャートである。
【図８】画像ファイルの消去処理を説明するフローチャートである。
【図９】ネットワーク転送処理において画像ファイルの属性を書込み禁止に設定する処理を説明するフローチャートである。
【図１０】ネットワーク転送処理において画像ファイルの属性を書込み禁止に設定する処理を説明するフローチャートである。
【図１１】画像ファイルの消去処理を説明するフローチャートである。
【図１】
2006086653.tif 000003
【図２】
2006086653.tif 000004
【図３】
2006086653.tif 000005
【図４】
2006086653.tif 000006
【図５】
2006086653.tif 000007
【図６】
2006086653.tif 000008
【図７】
2006086653.tif 000009
【図８】
2006086653.tif 000010
【図９】
2006086653.tif 000011
【図１０】
2006086653.tif 000012
【図１１】
2006086653.tif 000013